(57)【要約】【課題】  各種物品に取付けられたＲＦＩＤタグの記憶情報を、作業者がそれら物品を取り扱う度に自動的に読み取ることが可能とした。【解決手段】  作業者が着用或いは使用する作業用品にリーダが取付けられ、リーダは作業者が物品を取扱う際に当該物品のＲＦＩＤタグに接近すると、物品に取付けられているＲＦＩＤタグから、少なくとも、当該ＲＦＩＤタグ固有の情報を自動的に読み取り可能とした。リーダはアンテナとリーダ本体を備え、アンテナは作業用品に取付けられ、リーダ本体は作業用品に脱着可能な外付けでもよい。アンテナはリーダ本体に内蔵のものすることもできる。リーダは物品に取付けられているＲＦＩＤタグのライトワンス型のＩＣチップに少なくとも搬送過程の履歴情報を追記可能なライタを備えたものである。【選択図】  図２
2013130991.tif 000002
【特許請求の範囲】
【請求項１】
作業者が着用或いは使用する作業用品であり、
その作業用品にリーダが取付けられ、当該リーダは、作業者が物品を取扱う際に当該物品のＲＦＩＤタグに接近すると、物品に取付けられているＲＦＩＤタグから、少なくとも、当該ＲＦＩＤタグ固有の情報（物品に取付けることにより物品固有の情報：特定情報：ＩＤ）を読み取り可能としたことを特徴とするリーダ付き作業用品。
【請求項２】
請求項１記載のリーダ付き作業用品において、
リーダは、作業者が作業用品を着用或いは使用して、物品に取付けられているＲＦＩＤタグに接近すると、ＲＦＩＤタグからの情報の読み取りが自動的に行われることを特徴とするリーダ付き作業用品。
【請求項３】
請求項１又は請求項２記載のリーダ付き作業用品において、
リーダは、アンテナとリーダ本体（ＩＣチップ及びリーダとして必要な電気回路）を備え、アンテナは作業用品に取付けられ、リーダ本体は作業用品に脱着可能な外付けであることを特徴とするリーダ付き作業用品。
【請求項４】
請求項１乃至請求項３のいずれか１項に記載のリーダ付き作業用品において、
リーダは、基板にＩＣチップが搭載され、アンテナが配置され、リーダとして必要な電気回路が組み込まれたアンテナ内蔵の超小型リーダモジュールであることを特徴とするリーダ付き作業用品。
【請求項５】
請求項１乃至請求項４のいずれか１項に記載のリーダ付き作業用品において、
リーダがリーダ／ライタであり、そのライタは物品に取付けられているＲＦＩＤタグのライトワンス（一度のみ書き込み可能、書き込み後の改変不能）型のＩＣチップに少なくとも搬送過程の履歴情報を追記可能であることを特徴とするリーダ付き作業用品。
【請求項６】
請求項１乃至請求項５のいずれか１項に記載のリーダ付き作業用品において、
アンテナが無線通信に使用される電波の周波数に対応した長さの細長であることを特徴とするリーダ付き作業用品。
【請求項７】
請求項１乃至請求項６のいずれか１項に記載のリーダ付き作業用品において、
アンテナが糸に導電性パターンを設けたアンテナファイバ（糸状アンテナ）であり、そのアンテナファイバが織物又は編物の布帛に織り込み又は編み込まれたものであることを特徴とするリーダ付き作業用品。
【請求項８】
請求項１乃至請求項７のいずれか１項に記載のリーダ付き作業用品において、
アンテナがリーダ本体に内蔵のものであることを特徴とするリーダ付き作業用品。
【発明の詳細な説明】
【技術分野】
【０００１】
本発明は、医療業務やその他の業務に従事する作業者が着用する着用具或いは作業者が使用する使用具（以下、両者をあわせて「作業用品」という。）にリーダを設けたリーダ付き作業用品に関し、作業者が着用具を着用して物品に近づくと或いは作業者が使用具で物品を取り扱うと、物品に取付けられているＲＦＩＤタグに記憶されている情報を自動的に読み取り可能としたものである。
【背景技術】
【０００２】
病院を始めとする各種医療機関では、医療用品を厳重に管理して保管し、必要に応じて保管場所から取出して使用している。取出された医療用品はすぐに使用されるとは限らず、多くの部署を経由して使用場所まで運ばれ（搬送され）、その搬送過程で作業者により検査されたり、必要な処理（作業）が行われたり、用途別、使用日時別といったように仕分けされたりしているのが通常である。これら作業時に医療用品を取り違えたり、作業を間違えたりすることもあった。このため、医療用品は適正な状態で使用部署に搬送されるとは限らず、医療過誤の一因となることがあった。
【０００３】
医療の現場では、患者から採取した検体を検査して病気の原因、病状等を検査することがある。患者から採取した検体は、検体容器に収容される。検体入りの検体容器には検体を特定するための検体特定情報、患者の氏名、生年月日といった患者情報、検体の属性情報、検体の保管日時、保管場所、検体を取り扱った（作業した）日時、作業者氏名、作業内容といった履歴情報等を、手書きしたり、それら情報が表示されたバーコードラベルを貼付したりして管理している。血液パック、包装医薬品等にも前記と同様に手書きしたりバーコードラベルを貼付したりしている。
【０００４】
前記手書きやバーコードラベルの貼り付けは、検体入りの検体容器のみならず、血液パック、包装医薬品等にも行われている。医療用品の管理は厳重に行われているが、前記手書き方法では記載ミスのおそれがあり、バーコードラベルを貼付する方法では貼り間違えのおそれがある。記載ミスや貼り間違えがなくても、医療用品は洗浄されたり蒸気殺菌されたりして水分が付着したり、ホルマリンとか薬液等が付着したりすることがあるため、手書きした情報やバーコードラベルの情報が不鮮明になって判読困難になったり、消えてしまって判読不能になったりすることがあった。
【０００５】
検体、血液パック、包装医薬品等は、品質保持の面から、保管時に冷蔵或いは冷凍が義務付けられているものもある。しかし、従来は実際に冷蔵或いは冷凍されていたかどうかを確認する手段がないため、医療用品の品質保証の面で難点があった。
【０００６】
医療用品の保管、取り扱いは厳重な注意の下に行われているが、人間の注意力に頼るこれまでの管理や取り扱いには限界があり、作業ミスを根絶することは不可能であった。
【０００７】
近年は、医療用品に小型のＲＦＩＤタグ（Radio Frequency IDentificationタグ）を取付け、それに記憶されている医療用品の情報をリーダで読み取って管理する方法が検討されている。
【０００８】
ＲＦＩＤタグを医療用品に取付けた場合、ＲＦＩＤタグに記憶されている医療用品の特定情報（ＩＤ）をリーダ（リーダ／ライタ）で読み取り、読み取ったＩＤと、データベースにおけるＩＤや医療用品の属性情報等と照合して、両データの一致、不一致を判別し、医療用品がデータベースのデータに適合した（用途に適合した）適正品であるか否かをチェックすることができる。
【０００９】
しかし、従来は、データを照合しているのは、医療用品を保管場所から取出したときが主であり、保管場所から取出してから使用するまでの過程（以下「搬送過程」という。）では、医療用品識別情報や作業者ＩＤの読み取り、読み取った情報とデータベースとの照合は行われていない。このため、作業者が搬送過程で医療用品を間違えても（作業ミスしても）、作業ミスがどの部署で、何が原因で、誰により引き起こされたのかトレーサビリティすることができず、患者に不適合な血液型の血液を輸血してしまうとか、不適合な医薬品を投与してしまうといった医療過誤が起きてしまう。このようなミスは患者とカルテの照合ミスによっても発生し、それが原因で患者を間違えるとか、患者の正常部位を異常部位と間違えて施術してしまうといった医療過誤も起きている。また、トレーサビリティができないため、同じ作業ミスが繰り返されることもあった。
【００１０】
ＲＦＩＤタグやリーダを使用した医療機器管理技術として特許文献１〜４の技術が知られている。特許文献１〜３はＲＦＩＤタグとリーダを使用して管理するシステムであるが、いずれも作業者が医療用品を取扱う度にＲＦＩＤタグから情報を自動的に読み取り可能としたものではない。特許文献４は医療用機器のトレーサビリティに関するものであるが、作業者が医療用品を取扱う度にＲＦＩＤタグの情報を自動的に読み取り可能なものではない。このため、作業者が搬送過程で医療用品を取り違えたり、作業（処理）を間違えたりしても（作業ミスしても）、作業ミスが何時、どの部署で、誰により引き起こされたかをトレーサビリティすることはできなかった。
【先行技術文献】
【特許文献】
【００１１】
【特許文献１】特開２０１１−２０４２０号公報
【特許文献２】特開２０１０−２２６６０４号公報
【特許文献３】特開２０１０−０４３３０６号公報
【特許文献４】特開２００５−２６７６２５号公報
【発明の概要】
【発明が解決しようとする課題】
【００１２】
本件発明の解決課題は、一次産品、二次産品といった各種物品に取付けられたＲＦＩＤタグの記憶情報を、作業者がそれら物品を取り扱う度に読み取ることのできるリーダ付き作業用品を提供することにある。
【課題を解決するための手段】
【００１３】
本発明のリーダ付き作業用品は、作業者が着用或いは使用する作業用品（着用具或いは使用具）であり、その作業用品にリーダが取付けられ、当該リーダは、作業者が物品を取扱う際に当該物品のＲＦＩＤタグに接近すると、物品に取付けられているＲＦＩＤタグから、少なくとも、当該ＲＦＩＤタグ固有の情報（物品に取付けることにより物品固有の情報：特定情報：ＩＤ）を読み取り可能としたものである。読み取りは自動的に行われるようにすることができる。
【００１４】
前記リーダは、アンテナとリーダ本体（ＩＣチップ及びリーダとして必要な電気回路）を備え、アンテナは作業用品に取付けられ、リーダ本体はアンテナが取付けられた作業用品に脱着可能な外付けとすることができる。
【００１５】
前記リーダは、基板にＩＣチップが搭載され、アンテナが配置され、リーダとして必要な電気回路が組み込まれたアンテナ内蔵の超小型リーダモジュールとすることもできる。
【００１６】
前記リーダは、リーダ／ライタであり、そのライタは物品に取付けられているＲＦＩＤタグのライトワンス（一度のみ書き込み可能、書き込み後の改変不能）型のＩＣチップに、少なくとも搬送過程の履歴情報を追記可能なリーダを備えたものとすることもできる。
【００１７】
前記アンテナは、物品に取付けられたＲＦＩＤタグとの無線通信に使用される電波の周波数に対応した長さの細長としてある。
【００１８】
前記アンテナは、糸に導電性パターンを設けたアンテナファイバ（糸状アンテナ）とし、そのアンテナファイバが織物又は編物等の布帛に織り込み又は編み込まれたものとすることもできる。アンテナはリーダ本体に内蔵のものであってもよい。
【発明の効果】
【００１９】
本発明のリーダ付き作業用品は次のような効果がある。
（１）作業者が着用又は使用する作業用品にリーダを設けたので、作業者が物品を取扱う度に、その物品の少なくとも特定情報（ＩＤ）を当該リーダで自動的に読み取ることができ、読み取り忘れがない。読み取ったデータをデータベースのデータと照合して物品が用途に適合した適合品であるか否かを確実に判別することができる。
（２）作業用品に設けたリーダをリ−ダ／ライタとすれば、情報を追記可能なＲＦＩＤタグのライトワンス型ＩＣチップに作業情報や作業者情報を追記できるので、トレーサビリティが可能となり、医療過誤の防止に有益である。
（３）リーダを、アンテナ内蔵の超小型リーダモジュールとすれば、リーダを小型化でき、作業用品の取付け箇所が制約されにくくなる。
（４）アンテナが導電性パターンを無線通信に使用される電波の周波数に対応する長さの細長であるため、リーダを小型化でき、作業用品に取付けても作業の邪魔にならない。
（５）アンテナが導電性パターンを糸に設けたアンテナファイバを布帛に織り込んだり縫い込んだりしたものである場合は、リーダが薄くて嵩張らず、作業着や手袋等に取付けても作業の邪魔にならない。
（６）アンテナをＩＣチップに内蔵のものとすれば、リーダを小型化でき、作業用品の取付け箇所が制約されにくくなる。
（７）作業用品を、作業者が着用する作業着、手袋、帽子、名札、作業者が作業に使用する顕微鏡、鋏、ガーゼ等とすれば、作業者がそれらを着用して作業するか、それら作業用品を使用して医療業務を行えば、物品に取付けられたＲＦＩＤタグの情報を確実に読み取ることができ、読み取り忘れがない。
【図面の簡単な説明】
【００２０】
【図１】本発明のリーダ付き作業用品が顕微鏡の場合の説明図。
【図２】本発明のリーダ付き作業用品が作業用手袋の場合の説明図。
【図３】本発明のリーダ付き作業用品が作業者の着用する腕輪の場合の説明図。
【図４】本発明のリーダ付き作業用品が作業着の袖口の場合の説明図。
【図５】（ａ）は本発明のリーダ付き作業用品のリーダで読み取るＲＦＩＤタグの一例を示す説明図、（ｂ）は本発明のリーダ付き作業用品のリーダに使用されるアンテナファィバの一例を示す説明図。
【図６】本発明のリーダ付き作業用品のリーダで読み取るＲＦＩＤタグの異なる例であり、（ａ）は粒状のケースに封入された場合の平面図、（ｂ）は（ａ）の側面図、（ｃ）はチューブ状のケースに収容された場合の斜視図、（ｄ）は（ｃ）の平面図。
【図７】本発明のリーダ付き作業用品のリーダで読み取るＲＦＩＤタグ付き医療用品の一例であり、（ａ）は検体容器に粒状のケース入りＲＦＩＤタグを取付けた場合の斜視図、（ｂ）は検体容器にチューブ状のケース入りＲＦＩＤタグを取付けた場合の斜視図。
【図８】本発明のリーダ付き作業用品のリーダで読み取るＲＦＩＤタグ付き医療用品の一例であり、（ａ）は粒状のケース入りＲＦＩＤタグを取付けたスライドガラスの斜視図、（ｂ）はチューブ状のケース入りＲＦＩＤタグを取付けたスライドガラスの斜視図。
【図９】本発明のリーダ付き作業用品のリーダで読み取るＲＦＩＤタグの異なる例を示すものであり、（ａ）はＲＦＩＤタグ付き布帛の一例を示す正面図、（ｂ）はアンテナを多数本備えたＲＦＩＤタグ付き布帛の一例を示す説明図。
【図１０】図９（ａ）に示すＲＦＩＤ付き布帛を取り付けたＲＦＩＤタグ付き医療用品の斜視図。
【図１１】図９（ａ）のＲＦＩＤタグ付き布帛を取付けた血液パックの正面図。
【発明を実施するための形態】
【００２１】
本発明のリーダ付き作業用品は、一次産業、二次産業といった各種分野の物品に取付けられたＲＦＩＤタグから、それに記憶されている情報を読み取り可能なものであるが、以下の実施形態では物品が医療用品である場合を一例として説明する。
【００２２】
［医療用品］
前記医療用品は、検体が収容された検体入り容器、血液が充填された血液パック、点滴用栄養剤等が充填された点滴パック、医薬品が包装された包装医薬品、検体検査に使用されるプレパラート、スライドガラス、カバーガラス、シャーレ、血液検査に使用される試験管、注射器、手術用のメス、医療用品の開封等に使用される鋏、ガーゼ、カルテ、採取した検体や血液等を収容する空容器といった医療に関連する各種用品を含み、ＲＦＩＤタグが取付けられたものである。
【００２３】
（リーダ付き作業用品の実施形態１）
本発明のリーダ付き作業用品は、物品（以下「医療用品」という。）に取付けられたＲＦＩＤタグに記憶されている各種情報を読み取り可能なリーダが作業用品１に設けられたものである。
【００２４】
［作業用品］
本発明における作業用品１は、検体検査に使用する顕微鏡、作業者が着用する手袋、作業者が着用する腕輪、作業者が着用する作業着、帽子、名札、医療用品の開封等に使用される鋏等の、医療業務に当たって使用される医療関連作業用品のあらゆるものを含む。
【００２５】
本発明のリーダ付き作業用品の一例として図１に示すものは、作業用品１が顕微鏡の場合であり、それにリーダ２が取付けられている。リーダ２は、医療用品（スライドガラス）３に取付けられているＲＦＩＤタグ４に記憶されている各種情報のうち、少なくともＲＦＩＤタグ固有の特定情報（ＩＤ）を読み取って、それが取付けられている医療用品３を特定できるようにしてある。
【００２６】
本発明のリーダ付き作業用品の一例として図２に示すものは、作業用品１が作業用手袋の場合であり、それにリーダ２が取付けられている。リーダ２は、医療用品（検体入り容器）３に取付けられているＲＦＩＤタグ４に記憶されている各種情報のうち少なくともＲＦＩＤタグ固有の特定情報（ＩＤ）を読み取って、それが取付けられている医療用品３を特定できるようにしてある。
【００２７】
本発明のリーダ付き作業用品の一例として図３に示すものは、作業用品１が作業者用の腕にはめる腕輪の場合であり、それにリーダ２が取付けられている。リーダ２は、医療用品（検体入り容器）３に取付けられているＲＦＩＤタグ４に記憶されている各種情報のうち少なくともＲＦＩＤタグ固有の特定情報（ＩＤ）を読み取って、それが取付けられている医療用品３を特定できるようにしてある。
【００２８】
本発明のリーダ付き作業用品の一例として図４に示すものは、作業用品１が作業着の場合であり、それにリーダ２が取付けられている。リーダ２は、医療用品（検体入り容器）３に取付けられているＲＦＩＤタグ４に記憶されている各種情報のうち少なくともＲＦＩＤタグ固有の特定情報（ＩＤ）を読み取って、それが取付けられている医療用品３を特定できるようにしてある。作業着は長袖あっても、他の形態のシャツや洋服であってもよい。
【００２９】
［リーダ］
リーダ２は作業用品１のうち、作業者が医療用品３を取り扱う際に、医療用品３のＲＦＩＤタグ４に接近して、ＲＦＩＤタグ４に記憶されている情報を当該ＲＦＩＤ４から読み取り可能な箇所に設けてある。その取付け箇所は、例えば、図１では顕微鏡（作業用品）１の脚台部分が適する。この箇所に取付けることにより、顕微鏡１にセットされた医療用品（スライドガラス）３が備えているＲＦＩＤタグ４の情報を読み取り可能としてある。作業用品１とＲＦＩＤタグ４の距離は作業時にリーダ２とＲＦＩＤ４との間の距離が無線通信可能な距離、例えば数１０ｍｍ〜数１００ｍｍ程度の位置に設ける。この距離は、図２の手袋、図３の腕輪、図４の作業着の場合も同じである。
【００３０】
リーダ２はＲＦＩＤタグ４の情報を読み取り専用のものでも、読み取りとＲＦＩＤタグ４への情報の書き込みの双方ができるもの（通常「リード／ライタ」といわれている）であってもよい。いずれの場合であっても、少なくとも、汎用のリーダ又はリーダ／ライタと同様の機能を備えたものである。この場合のライタは医療用品３に取付けてあるＲＦＩＤタグ４に、作業者が医療用品３を取り扱った際の作業日時、作業場所、作業内容といった作業情報、医療用品３を取り扱った作業者の氏名、所属部署といった作業者情報を書き込み可能（追記可能）なものである。
【００３１】
リーダ２はリーダ本体５、アンテナ６（図２）を備える。リーダ本体５はＩＣチップとリーダとして必要な電気回路を備える。リーダ２はアンテナ６だけを作業用品１に設け、リーダ本体５は作業用品１とは別にして、作業用品１に脱着可能な外付けタイプとすることもできる。
【００３２】
リーダ２はできるだけ小型で薄いものが望ましい。一例としては、１８ｍｍ×１８ｍｍ以下、厚さ０．数ｍｍ〜数ｍｍ程度の小型、薄型の基板にＩＣチップが搭載され、アンテナが設けられ、リーダとして必要な電気回路が組み込まれたアンテナ内蔵の超小型リーダモジュールを使用することもできる。
【００３３】
リーダ２は読み取り忘れ防止のため、一々、読み取り操作を行わずとも、ＲＦＩＤタグ４に接近すると自動的に読み取りを行う自動読み取り式のものが望ましい。
【００３４】
リーダ２はＲＦＩＤタグ４を一つずつ読み取り可能なものであっても、複数のＲＦＩＤタグ４を一括読み込み可能な機能（アンチコリジョン機能或いはマルチリード機能）を備えたものでもよい。アンチコリジョン機能或いはマルチリード機能を備えたリーダを使用することによって、複数の容器に分散して収容されている医療用品（例えば、検体）３を一括管理することができる。例えば、複数の容器に取付けるＲＦＩＤタグ４のＩＤに枝番まで付け（ＩＤ分割し）、その枝番付きＲＦＩＤタグ４が取付けられた複数の容器に分散して収容された検体を、全ての枝番まで一括読み取り（ＩＤ結合）することにより、分散収容された検体を一括管理（ＩＤ分割・結合）することができる。
【００３５】
［アンテナ］
前記アンテナ６には図５（ｂ）に示すアンテナファイバ７を使用することができる。このアンテナファイバ７は糸８に印刷やメッキにより導電材（導電パターン）９を設け、この導電材９をＲＦＩＤタグ４との無線通信に使用される電波の周波数に対応した長さにしてある。アンテナファィバ７は織物又は編物等の布帛に織り込み又は編み込み、その布帛を作業用品１に取付けることもできる。作業用品１が手袋とか作業着の場合は、それらの生地に直接織り込むとか編み込むとかすることもできる。
【００３６】
前記糸８には合成樹脂繊維、天然繊維、無機繊維等を用いることができる。合成樹脂繊維材料としてはポリエステル、ナイロン、アクリル、ポリプロピレン、パラ系アラミド、メタ系アラミド、ポリアリレート、ポリベンゾイミダゾールなどを、天然繊維材料としては、綿、ウール、麻などを、無機繊維材料としてはガラスなどを用いることができる。糸８はこれら繊維を混合した混合糸を多数本収束したものとすることもできる。その他、モノフィラメント糸、マルチフィラメント糸又は紡績糸を用いることができる。糸８は収束した繊維がほどけないように撚りを付与しておくとよい。糸８の太さは０．５ｍｍ〜２ｍｍ程度のものが適する。糸８の太さが０．５ｍｍより細くなるとＩＣチップのサイズ（０．４ｍｍ×０．４ｍｍ）よりも小さくなるためＩＣチップの実装が困難となり、２ｍｍよりも太くなると柔軟性が低下して布帛に織り込んだり編み込んだりする場合に取り扱いが難しくなり、ＲＦＩＤタグが大型化する。
【００３７】
アンテナ６は細長の絶縁性フィルムや紙の表面に導電材９を細長に設けたものであっても、金属細線であってもよい。この場合のアンテナ６の長さはリーダ２とＲＦＩＤタグ４との無線通信に使用される電波の周波数に応じて設計することができる。小型化の面からは幅０．２ｍｍ〜１ｍｍ、長さ数ｍｍ〜数１０ｍｍ程度が適する。使用周波数帯域としては、ＲＦＩＤタグ４で使用されている各種周波数帯域が使用可能であるが、２．４５ＧＨｚ〜５．８ＧＨｚのマイクロ波帯が適する。
【００３８】
前記アンテナ６は線状、面状、テープ状、矩形状、円形状、楕円形状といった各種形状にすることもできる。アンテナ６は糸８の周方向に幅広に形成するとか螺旋状に形成したりすることもできる。
【００３９】
本発明のリーダ付き作業用品のリーダ２と、作業用品１に取付けられているＲＦＩＤタグ４との無線通信は、通常のリーダとＲＦＩＤタグとの通信と同様にして行われる。リーダ２で読み取られた情報はホストコンピュータ１１（図１〜図４）に送信されて、情報管理される。
【００４０】
前記リーダ２で読み取られた情報は図１〜図４のように、データベース１０のデータとホストコンピュータ１１で照合されて、医療用品３が用途に適応した適合品であるか否かを判別し、判別結果をモニタ画面１２に表示できるようにすることができる。この場合、モニタ画面１２に表示するだけでなく、異常を他の報知器（例えばスピーカ）１３で音声放送したり、ブザー等で報知したり、ランプを点滅或いは点灯させたりして報知することもできる。医療用品取り扱い作業者や所轄部署では前記モニタ画面１２の表示を見るとか、他の報知器１３への報知を確認して、当該医療用品３の適否を確認することができる。
【００４１】
［医療用品に取付けるＲＦＩＤタグ］
医療用品３に取付けられるＲＦＩＤタグ４には各種形態のものを使用することができる。基本的にはアンテナ（リーダ２のアンテナと区別するため以下では「タグ用アンテナ」という。）とＩＣチップ（リーダ２のＩＣチップと区別するため以下では「タグ用ＩＣチップ」という。）を備えている。バッテリーを備えた能動型（アクティブ型）、バッテリーを持たない受動型（パッシブ型）、リーダ２から電波を受けたときにのみ送信するセミアクティブ型のいずれも使用可能であるが、小型化の面からはパッシブ型が適する。アクティブ型、セミアクティブ型の場合はタグ用ＩＣチップを駆動するための電源が必要になる。その電源は小型電池（例えば、小型のボタン電池）でもよいが、太陽電池（太陽光発電器）であってもよい。太陽電池の場合は図１０のように医療用品３の容器の天井面３ａに取付けることができる。太陽電池の光源は太陽光以外でもよく冷蔵庫や冷凍室等の内部照明光であってもよい。
【００４２】
医療用品３に取付けられたＲＦＩＤタグ４は図５（ａ）に示すようなものであってもよい。このＲＦＩＤタグ４は、糸８の表面にタグ用アンテナ（ダイポールアンテナ）１５を設け、そのタグ用アンテナ１５にタグ用ＩＣチップ１６を設けてある。
【００４３】
［タグ用アンテナ］
タグ用アンテナ１５は糸８の表面に導電塗料を印刷したり、導電材を金属メッキしたりして形成してあり、それら導電塗料、導電材の長さを、リーダ２とＲＦＩＤタグ４の無線通信に使用する電波の周波数に合わせて設計してある。この糸８にも図５（ｂ）の糸と同様のものを使用することができる。タグ用アンテナ１５も線状、面状、テープ状、矩形状、円形状、楕円形状といった各種形状にすることができる。このタグ用アンテナ１５も前記アンテナ６と同様に使用周波数帯を設計することができる。
【００４４】
タグ用アンテナ１５は細長の絶縁性フィルムや紙の表面に導電材を細長に設けたものであっても、金属細線であってもよい。このタグ用アンテナ１５の長さもリーダ２とＲＦＩＤタグ４との無線通信に使用される電波の周波数に応じて設計することができる。小型化の面からは幅０．２ｍｍ〜１ｍｍ、長さ数ｍｍ〜数１０ｍｍ程度が適する。
【００４５】
［タグ用ＩＣチップ］
タグ用ＩＣチップ１６には超小型のものが適し、例えば０．４ｍｍ×０．４ｍｍ程度のものが適する。
【００４６】
タグ用ＩＣチップ１６には少なくともそれを取付ける医療用品３を特定するための特定情報（ＩＤ）が記憶されている。タグ用ＩＣチップ１６には必要に応じて他の情報、例えば医療管理に必要な医療管理情報や医療用品３の属性情報等の各種情報を記憶させておくこともできる。医療管理情報としては、例えば、検体容器に貼り付けるＲＦＩＤタグ４の場合はその検体に割り当てられた個別番号、検体者氏名、検体入手日時、検体保管経緯、用途、検体使用日時、その他の必要事項である。これら記憶情報は前記リーダ付き作業用品のリーダ２で読み取って管理用のホストコンピュータ１１に伝送することができる。
【００４７】
［ライトワンス型ＲＦＩＤタグ］
タグ用ＩＣチップ１６は書き込み不能なものでも書き込み可能なものでも使用可能であるが、トレーサビリティの面からは一度の書き込みは可能であるが書き込み後の改変は不可能なライトワンス（追記型）のものが好ましい。ＲＦＩＤタグ４には、作業者が医療用品３を取扱う（作業する）度に、その作業日時、作業場所、作業内容（作業情報）、当該医療用品３を取扱った作業者の氏名、所属部署といった作業者に関する情報（作業者情報）等を記憶（追記）することができる。この追記は作業用品１に取付けられたリーダ／ライタで行うことも、ホストコンピュータ１１で行うこともできる。
【００４８】
前記したＲＦＩＤタグ４は、糸８、タグ用アンテナ１５、タグ用ＩＣチップ１６の外周を液体バリア性（耐液性、耐薬液性）のある樹脂製のシートやフィルム等で被覆するとか、液体バリア性のあるチューブ内に封入するなどして、タグ用アンテナ１５及びタグ用ＩＣチップ１６が糸８から外れないようにすると共に耐液構造、耐薬品構造とするのが望ましい。
【００４９】
［温度記憶］
ＲＦＩＤタグ４を取付けた医療用品３には温度センサを設けておくこともできる。この場合は、前記ＲＦＩＤタグ４のタグ用ＩＣチップ１６を、温度センサで検知された温度を書き込み可能なものとして、医療用品３の温度管理がきるようにすることができる。前記温度はＲＦＩＤタグ４のタグ用ＩＣチップ１６とは別に設けたＩＣチップに記憶することも、データベース１０やホストコンピュータ１１に記憶することもできる。書き込み用の電源は容器に太陽電池を設けておき、それで発電された電力を使用することができる。太陽電池の光源は太陽光であってもよく、医療用品３を保管する冷蔵設備や冷凍設備等の室内照明光等とすることができる。
【００５０】
［データベース］
図１〜図４のデータベース１０は医療用品３を特定する特定情報（ＩＤ）の他に、前記医療用品の属性情報、例えば、医療用品３が検体の場合は、被検者の氏名、生年月日、血液型、検体採取日時、検体採取病院名、検体採取目的、検体用途、検体使用日時、検体採取機関名、検体採取者名等と、作業情報と、作業者情報等を関連付けて作成されている。これら情報を関連付けてデータ化することにより、医療用品３が検体の場合は採取されてから、血液の場合は採血されてから使用されるまでの搬送過程の、どの部署で、どの作業者により、何時、どのような作業が行われたか、といったことをトレーサビリティできるようにしてある。
【００５１】
［医療用品管理］
本発明のリーダ付き作業用品で読み取った情報（医療用品特定情報：ＩＤ）は、ＩＤ及び医療用品の属性情報、作業情報、作業者情報等を関連付けて作成されたデータベース１０（図１〜図４）とホストコンピュータ１１で照合して、医療用品３が適合品であるか否かを判別し、判別結果をモニタ画面１２等に文字情報、画像情報等の形式で表示して、その表示を見ることにより適否を確認することができるようにする。この場合、図１に示すように、顕微鏡で検査している視認画像をモニタ画面１２に表示し、そのモニタ画面上の視認画像に、例えば、「検体番号１２３１４、検査項目５１」といったように、検体トレーサビリティ情報を表示することもでき、この画像をホストコンピュータ１１やデータベース１０或いは医療用品３のＲＦＩＤタグ４に追記することにより、トレーサビリティするときに、作業状況を視覚で確認することもできる。これら読み取りや照合は医療用品３の搬送過程において、作業者がリーダ付き作業用品を着用或いは使用して医療用品３を取扱う度に自動的に行われる。
【００５２】
前記作業履歴情報は、作業者が前記リーダ付き作業用品で医療用品３を取扱う度に、医療用品３のＩＤに基づいて、どの医療用品３が、どの部署の作業者により、何時、何処でどのように処理されたかといった履歴情報がリーダ２から自動的にホストコンピュータ１１に送信されてデータベース１０に蓄積されるようにしてある。履歴情報はホストコンピュータ１１で読み取ってデータベースに蓄積することもできる。ホストコンピュータ１１はタブレットＰＣであってもよい。タブレットＰＣを使用することにより、リーダ付き作業用品が読み取った情報をモニタ画面に文字情報や画像情報として表示でき、それら文字情報や画像情報に必要な注意書きや必要事項を、当該モニタ画面から手書き入力（ペン入力、指入力）で追記することができる。
【００５３】
前記適否の判別結果はスピーカ、ランプ、ブザー等の他の報知器１３で報知することもできる。スピーカの場合は音声で、ランプの場合は点滅或いは点灯させて、ブザーの場合は警報音を発して、それぞれ報知することもできる。
【００５４】
（医療用品へのＲＦＩＤタグの取付け）
前記ＲＦＩＤタグ４は医療用品３に接着剤や両面テープによる貼り付けるとか、医療用品３の容器に埋め込む等して医療用品３に取付けてある。埋め込みは、容器に穴や窪み等の収容部を設けておき、その収容部内にＲＦＩＤタグ４を収容して密封するとか、容器成型時に容器にＲＦＩＤタグ４を埋め込むとかすることができる。
【００５５】
図５（ａ）に示すＲＦＩＤタグ４は図６（ａ）に示す細長球状（粒状）のケース２０や図６（ｂ）に示す円筒状のケース２０に収容密閉してケース入りＲＦＩＤタグ２１にし、それらを図７（ａ）、（ｂ）のように医療用品３の容器に取付けるとか図８（ａ）、（ｂ）のように医療用品（スライドガラス）３に取付けるとかすることができる。図９（ａ）に示すように織物、編物等の布帛２２に織り込んだり編み込んだりしてＲＦＩＤタグ付き布帛２３にし、そのＲＦＩＤタグ付き布帛２３を図１０に示すように医療用品３の容器に取付けたり、図１１に示すように医療用品（血液パック）３に貼り付けたり、血液パックに設けたポケットに収納したりすることもできる。図９（ｂ）に示すように織物、編物等の布帛２２にＲＦＩＤタグ４（図５（ａ））と、アンテナファイバ７（図５（ｂ））を織り込んだり編み込んだりしてアンテナ及びＲＦＩＤタグ付き布帛２４にし、そのＲＦＩＤタグ付き布帛２４を図１０のように医療用品３の容器に取付けることもできる。
【００５６】
前記ケース２０はシールド性（電磁遮蔽性）がなく無線通信に支障のないものが望ましく、液体バリア性のある樹脂製が適する。ケース２０には医療用品３の容器や包材に取付け易くする取付け部２０ａを設けるのが望ましい。取付け部２０ａは医療用品３の容器や包材が平面状の場合は平面状にして、容器や包材が湾曲面の場合は湾曲面にしてそれらに取付け易くするのがよい。
【００５７】
ＲＦＩＤタグ４を図６（ａ）に示す細長粒状のケース２０内に収容する場合は、細長のＲＦＩＤタグ４の両端部４ａ、４ｂ（図６（ｂ））を湾曲させてケース２０の取付け部２０ａから離して（浮かして）収容することができる。浮かして収容することにより、ＲＦＩＤタグ４を金属製（例えば、アルミ製）の医療容器や包材に取付けたときに、両端部４ａ、４ｂが医療容器や包材から離れるため、リーダ２での読み取りが確実になる。ちなみに、ＲＦＩＤタグ４が金属製の医療容器や包材に接触すると、ＲＦＩＤタグ４及びリーダ２間の電波が金属製の医療容器や包材で遮蔽（シールド）されて無線通信し難くなることがある。
【産業上の利用可能性】
【００５８】
本発明のリーダ付き作業用品は、医療品のＲＦＩＤタグから情報を読み取るのに適するものであるが、他の物品に取付けられたＲＦＩＤタグからの情報の読み取りにも利用することができる。例えば、食品、衣料品、種苗、農産物、電子部品、機械部品、土木機械（例えば、フォークリフト）等に取付けたＲＦＩＤタグから情報を読み取って、食品、衣料品、育苗、農産物、電子部品、機械、土木作業の管理といったあらゆる分野での商品管理、作業管理等のトレーサビリティに利用することができる。各種分野への利用例を以下に説明する。
【００５９】
手術室には酸素ボンベをはじめとして各種ボンベがあり夫々のボンベにバルブ（開閉弁、開閉栓）が付いている。これらバルブの開閉操作を間違えると、例えば、酸素が必要な時に他のガスが供給されたりして医療ミスに繋がる。また、石油、ガス、化学プラント等の各種プラントには多くのスイッチが備えられている。これらスイッチの操作を間違えた場合も事故に繋がる。これらバルブやスイッチ等にＲＦＩＣタグを取付けておけば、作業者が本発明のリーダ付き作業用品（例えば手袋）を着用してバルブやスイッチを操作すれば、誰が、何時、どのバルブ、或いは、どのスイッチを操作したかをトレーサビリティすることができる。
【００６０】
医療施設、学校、役所などの公共施設、或いは企業の建屋等には多くの部屋があり、夫々の部屋にドアがある。それらドアにＲＦＩＣタグを取付けておき、作業者が本発明のリーダ付き作業用品（例えば鍵）を使用して、ドアの解錠、施錠等をすれば、誰が、何時、どのドアを開けて室内点検したか、或いは点検しなかったかをトレーサビリティすることができる。
【００６１】
自動車のハンドルにＲＦＩＣタグを取付けておき、作業者が本発明のリーダ付き作業用品（例えば、ユニフォームや手袋）等を使用して運転をすれば、その自動車を、誰が、何時運転したかをトレーサビリティすることができる。
【符号の説明】
【００６２】
１    作業用品
２    リーダ
３    医療用品
３ａ  （容器の）天井面
４    ＲＦＩＤタグ
４ａ、４ｂ  （ＲＦＩＤタグの）両端部
５    リーダ本体
６    アンテナ
７    アンテナファイバ
８    糸
９    導電材
１０    データベース
１１    ホストコンピュータ
１２    モニタ画面
１３    報知器
１５    タグ用アンテナ
１６    タグ用ＩＣチップ
２０    ケース
２０ａ  取付け部
２１    ケース入りＲＦＩＤタグ
２２    布帛
２３    ＲＦＩＤタグ付き布帛
２４    アンテナ及びＲＦＩＤタグ付き布帛
【図１】
2013130991.tif 000003
【図２】
2013130991.tif 000004
【図３】
2013130991.tif 000005
【図４】
2013130991.tif 000006
【図５】
2013130991.tif 000007
【図６】
2013130991.tif 000008
【図７】
2013130991.tif 000009
【図８】
2013130991.tif 000010
【図９】
2013130991.tif 000011
【図１０】
2013130991.tif 000012
【図１１】
2013130991.tif 000013